(57)【特許請求の範囲】
【請求項１】
複数のゾーンのそれぞれにおいて基地局から移動機に対して情報を配信するようにした移動通信システムにおいて、
各ゾーンにおいて情報配信に使用される無線チャネルとその情報配信を受ける移動機とを管理する管理手段と、
いずれかのゾーンにおいて情報配信を受ける移動機の収容状態が変化したときに、当該ゾーンまたはそれに隣接するゾーンにおける情報配信を受ける移動機の収容状態を変更すべきか否かを上記管理手段にて管理される情報および当該ゾーンにおいて、１つの番組チャネルの情報をある無線チャネルを使用して受信する移動機の数に基づいて判定するゾーン切替要否判定手段と、
該ゾーン切替要否判定手段にて移動機の収容状態を変更すべきと判定されたゾーンに収容される移動機を、基地局からの下り信号の受信レベルに基づいて収容可能であると判断された他のゾーンに収容替えできるか否かを判定するゾーン切替可否判定手段と、
該ゾーン切替可否判定手段にて他のゾーンに収容替えできると判定された移動機に対して変更後のゾーンの基地局から情報配信を行うべく上記管理手段にて管理される情報に基づいて無線チャネルを切替える無線チャネル切替制御手段と
を備えた移動通信システム。
【請求項２】
請求項１記載の移動通信システムにおいて、
上記ゾーン切替可否判定手段は、各移動機について収容可能なゾーンを管理する移動機管理手段
を有し、
該移動機管理手段にて管理される情報に基づいて移動機を他のゾーンに収容替えできるか否かを判定するようにした移動通信システム。
【請求項３】
請求項１または２記載の移動通信システムにおいて、
上記管理手段は、各ゾーンにおける情報配信に使用する無線チャネルとその情報配信を受ける移動機との関係を示すテーブルを有する移動通信システム。
【請求項４】
請求項１ないし３のいずれか１項に記載の移動通信システムにおいて、
上記ゾーン切替可否判定手段は、当該ゾーンにて増加する情報配信を受けようとする移動機が新たな無線チャネルを使用するか否かによって、当該ゾーンまたはそれに隣接するゾーンにおける情報配信を受ける移動機の収容状態を変更すべきか否かを判定する移動通信システム。
【発明の詳細な説明】
【０００１】
【発明の属する技術分野】
本発明は、携帯電話機、ＰＨＳ端末などの移動機を用いた移動通信システムに係り、詳しくは、複数のゾーンにおいてマルチキャストサービス（プッシュ型の情報配信サービス）  を移動機に対して提供するようにした移動通信システムに関する。
【０００２】
【従来の技術】
従来、セルラー方式の移動通信システムにおいて、例えば、ニュース、天気予報、交通情報などの情報を移動機に配信するプッシュ型の情報配信サービス、所謂、マルチキャストサービスが提案されている。
このようなマルチキャストサービスを提供する移動通信システムでは、各ゾーンにおいて、所定のチャネルを用いて移動機から所望のマルチキャストサービスに対応した番組チャネル（ＭＣ＃）の要求が基地局に送信されると、その要求を受信した基地局が要求に係る番組チャネル（ＭＣ＃）の情報を配信するための無線チャネルを移動機に通知する。そして、移動機は、通知された無線チャネルにて要求に係る番組チャネル（ＭＣ＃）の情報（例えば、ニュース、天気予報など）の配信を受ける。
【０００３】
【発明が解決しようとする課題】
各ゾーンにおいて、基地局から移動機への情報配信に用いることのできる無線チャネルの数は有限である。そのため、従来の移動通信システムでは、あるゾーン内で新たな移動機から情報配信の要求があった場合、情報の配信を受けながら移動機が隣接ゾーンから当該ゾーンに進入してきた場合など、そのゾーンに空き無線チャネルがなければ、情報配信のサービスを受けることができず、また、その情報配信のサービスが中断されてしまう。
【０００４】
従って、情報配信サービス（マルチキャストサービス）における通信トラヒックが高いゾーンでは、そのサービスの質の低下を招いてしまう。
そこで、本発明の課題は、各ゾーンにおいて移動機に対する情報配信サービスのために用いられる無線チャネルを有効に利用できるようにした移動通信システムを提供することである。
【０００５】
【課題を解決するための手段】
上記課題を解決するため、本発明は、請求項１に記載されるように、複数のゾーンのそれぞれにおいて基地局から移動機に対して情報を配信するようにした移動通信システムにおいて、各ゾーンにおいて情報配信に使用される無線チャネルとその情報配信を受ける移動機とを管理する管理手段と、いずれかのゾーンにおいて情報配信を受ける移動機の収容状態が変化したときに、当該ゾーンまたはそれに隣接するゾーンにおける情報配信を受ける移動機の収容状態を変更すべきか否かを上記管理手段にて管理される情報および当該ゾーンにおいて、１つの番組チャネルの情報をある無線チャネルを使用して受信する移動機の数に基づいて判定するゾーン切替要否判定手段と、該ゾーン切替要否判定手段にて移動機の収容状態を変更すべきと判定されたゾーンに収容される移動機を、基地局からの下り信号の受信レベルに基づいて収容可能であると判断された他のゾーン収容替えできるか否かを判定するゾーン切替可否判定手段と、該ゾーン切替可否判定手段にて他のゾーンに収容替えできると判定された移動機に対して変更後のゾーンの基地局から情報配信を行うべく上記管理手段にて管理される情報に基づいて無線チャネルを切替える無線チャネル切替制御手段とを備えるように構成することができる。
【０００６】
このような移動通信システムでは、各ゾーンにおいて情報配信に使用される無線チャネルとその情報配信を受ける移動機とが管理される。これにより、各ゾーンにおける情報配信を受ける移動機の収容状態を知ることができる。
いずれかのゾーンにおいて情報配信を受ける移動機の収容状態が変化したときに、上記管理される情報に基づいて、情報配信を受ける移動機の収容状態が変化したゾーンまたはそれに隣接するゾーンにおける情報配信を受ける移動機の収容状態を知ることがでる。そして、その収容状態は変更すべきものであるか否かが判定される。この判定基準は、各ゾーンにおける無線チャネルを情報配信にできるだけ有効に利用できるようにするという観点から予め決められる。
【０００７】
上記情報配信を受ける移動機の収容状態が変化したとは、情報配信を受ける移動機が増加（情報配信のための新規呼の発生）または減少（情報配信のための呼の消滅）を意味する。
上記のようにして、当該ゾーンまたはそれに隣接するゾーンにおける情報配信を受ける移動機の収容状態を変更すべきであると判定された場合、更に、その判定されたゾーンの移動機を他のゾーンに収容替えできるか否かが更に判定される。
【０００８】
この判定は、少なくとも、その判定されたゾーンの移動機が他のゾーンにおいても基地局と通信可能であるか否か、及び、当該他のゾーンにおいても変更前のゾーンにおいて当該移動機が受けていた情報の配信が行われているか否かによってなされる。
収容ゾーンの収容替えが可能であると判定された移動機に対して変更後の他のゾーンにおける基地局から情報配信が行われるように、無線チャネルが切替えられる。
【０００９】
移動機の収容状態を変更すべきであると判定されたゾーンの移動機を他のゾーンに収容換えできるか否かの判定を効率よく行えるという観点から、本発明は、請求項２に記載されるように、上記移動通信システムにおいて、上記ゾーン切替可否判定手段は、各移動機について収容可能なゾーンを管理する移動機管理手段を有し、該移動機管理手段にて管理される情報に基づいて移動機を他のゾーンに収容替えできるか否かを判定するように構成することができる。
【００１０】
このような移動通信システムでは、各移動機について収容可能なゾーンが管理されるので、その管理情報に基づいて収容ゾーンを変更できる移動機の存在が効率よく判定できるようになる。
また、情報配信に用いられる無線チャネル及び情報配信を受ける移動機を容易に管理できるという観点から、本発明は、請求項３に記載されるように、上記移動通信システムにおいて、上記管理手段は、各ゾーンにおける情報配信に使用する無線チャネルとその情報配信を受ける移動機との関係を示すテーブルを有するように構成される。
【００１１】
このような移動通信システムでは、上記テーブルを参照することにより、各ゾーンにおいて情報配信に使用される無線チャネルとその情報配信を受ける移動機との関係を知ることができる。
【００１２】
【発明の実施の形態】
以下、本発明の実施の形態を図面に基づいて説明する。
本発明の実施の一形態に係る移動通信システムは、例えば、図１に示すように構成される。
図１において、各基地局ＢＳ−Ａ、…は、交換機１００に接続され、この交換機１００は、配信すべきコンテンツ（情報）を管理する番組サーバ２００に接続されている。各基地局ＢＳ−Ａ、…と通信可能な領域が各ゾーンＡ、…となる。
【００１３】
各ゾーンにおいて、移動機ＭＳから所望の番組チャネル（ＭＣ＃）への接続要求を所定の無線チャネルを用いて基地局ＢＳが受信すると、その接続要求が基地局ＢＳから交換機１００に転送される。交換機１００は、要求に係る番組チャネル（ＭＣ＃）の情報を番組サーバ２００から取り出し、その情報の配信に用いられる無線チャネル（ＣＨ＃）を移動機ＭＳに通知する。そして、この通知を受けた移動機ＭＳがその無線チャネル（ＣＨ＃）を用いて要求に係る番組チャネル（ＭＣ＃）の情報の配信を受ける。
【００１４】
交換機１００は、各移動機の現在の収容ゾーンと変更可能なゾーンとを示す移動機管理テーブル（  図３参照）  と、各番組チャネル（ＭＣ＃）毎に、各ゾーンにおいて使用される無線チャネル（ＣＨ＃）とその無線チャネルにて情報配信を受けている移動機との関係を示すＭＣ登録テーブル（図４参照）を有している。
このような移動通信システムにおいて、各ゾーンＡ、Ｂ及びＣにおいて配信される番組とその番組の配信をうける移動機が、例えば、図２に示すような状態となる場合を例に、以下、説明を行う。
【００１５】
図２において、ゾーンＡでは、チャネル１（ＭＣ１）の番組（情報）が無線チャネルＣＨ３にて配信され（１Ａ３）、チャネル２（ＭＣ２）の番組が無線チャネル４を用いて配信されている（２Ａ４）。そして、移動機ＭＳ３、ＭＳ４及びＭＳ５が、無線チャネルＣＨ３にて配信されるチャネル１（ＭＣ１）の番組を受信している。
【００１６】
ゾーンＢでは、チャネル３（ＭＣ３）の番組が無線チャネルＣＨ５を用いて配信されている（３Ｂ５）。また、ゾーンＣでは、チャネル１（ＭＣ１）の番組が無線チャネルＣＨ１にて配信され（１Ｃ１）、チャネル４（ＭＣ４）の番組が無線チャネルＣＨ２にて配信される（４Ｃ２）。そして、移動機ＭＳ１及びＭＳ２が、無線チャネルＣＨ１にてチャネル１（ＭＣ１）の番組を受信している。
【００１７】
上記のような状態では、例えば、チャネル１（ＭＣ１）の配信番組について、各ゾーンＡ、Ｂ、Ｃにおいて使用される無線チャネルとその番組の配信を受ける移動機との関係が、図４に示すようにＭＣ登録テーブルに記述される。即ち、ゾーンＡの無線チャネルＣＨ３を用いてチャネル１（ＭＣ１）の番組が、移動機ＭＳ３、ＭＳ４及びＭＳ５に配信され、ゾーンＣの無線チャネルＣＨ１を用いてチャネル１（ＭＣ１）の番組が移動機ＭＳ１及びＭＳ２に配信され、及び、ゾーンＢではチャネル１（ＭＣ）の番組が配信されていない状態が当該ＭＣ登録テーブルにて管理されている。
【００１８】
なお、図示しないが、他のチャネル（チャネル２、チャネル３、チャネル４）の番組についても、上記と同様に、各ゾーンにおいて番組配信に使用される無線チャネル（ＣＨ＃）とその番組配信を受ける移動機との関係がＭＣ登録テーブルにて管理されている。
また、交換機１００からの指令に基づいて各基地局ＢＳは、所定のタイミングで各移動機ＭＳに対して測定指令を送っている。各移動機ＭＳは、その測定指令を受信すると、各基地局ＢＳからの下り信号の受信レベルを測定し、その測定結果を基地局ＢＳに返送する。そして、各基地局ＢＳは、その測定結果を交換機１００に送信する。交換機１００は、各基地局ＢＳからの各移動機ＭＳでの測定結果に基づいて、各移動機ＭＳの収容ゾーン及び代替収容ゾーンを移動機管理テーブル（図３参照）に登録する。最も受信レベルの高いゾーンを収容ゾーンとし、更に、その受信レベルの高い順に代替収容ゾーンが決められる。
【００１９】
図２に示す例では、移動機ＭＳ２はゾーンＡとゾーンＣの境界部分に位置するので、移動機ＭＳ２での下り信号の受信レベルが最も高くなるゾーンＣが移動機２の収容ゾーンとして登録され、次に受信レベルが高くなるゾーンＡがその代替収容ゾーン１として登録される。また、移動機ＭＳ５はゾーンＡとゾーンＢの境界部分に位置するので、移動機ＭＳ５での下り信号の受信レベルが最も高くなるゾーンＡが移動機ＭＳ５の収容ゾーンとして登録され、次に受信レベルが高くなるゾーンＢがその代替ゾーン１として登録される。移動機ＭＳ１は、ゾーンＣ以外のゾーンの基地局ＢＳからの下り信号の受信レベルは所定値以下となるので、ゾーンＣが収容ゾーンとして登録され、その代替ゾーンの登録はない。移動機ＭＳ３及び移動機ＭＳ４は、ゾーンＡ以外のゾーンの基地局ＢＳからの下り信号の受信レベルは所定値以下となるので、ゾーンＡが収容ゾーンとして登録され、その代替ゾーンの登録はない。
【００２０】
次に、上記の状況において、ゾーンＣにおいて無線チャネルＣＨ１を使用してチャネル１（ＭＣ１）の情報配信を受けていた移動機ＭＳ１が基地局ＢＳ−Ａとの間の呼を切断する場合を例に、その動作を図５に示すシーケンス図及び図６に示すフローチャートに基づいて説明する。
図５において、前述したように、交換機１００からの指令に基づいて基地局ＢＳ−Ａ（ゾーンＡ）から無線チャネルＣＨ３を用いて移動機ＭＳ３、ＭＳ４、ＭＳ５にチャネル１（ＭＣ１）の番組が配信されている。また、交換機１００からの指令に基づいて基地局ＢＳ−Ｃ（ゾーンＣ）から無線チャネルＣＨ１を用いて移動機ＭＳ１及びＭＳ２にチャネル（ＭＣ１）の番組が配信されている。
【００２１】
この状態で、ゾーンＣにおいて情報配信を受ける移動機ＭＳ１から切断要求が送信されると、その切断要求が基地局ＢＳ−Ｃを介して交換機１００に送信される。この移動機ＭＳ１からの切断要求を受信した交換機１００は、図６に示す手順に従って処理を実行する。
図６において、図４に示す状態となるＭＣ登録テーブルのゾーンＣの項から切断要求を行った移動機ＭＳ１のエントリが削除される（Ｓ１）。このように、ゾーンＣにおいて情報配信を受ける移動機の収容状態が変化する（収容される移動機の数が減少する）と、このゾーンＣにおける情報配信を受ける移動機の収容状態を変更すべきか否かが判定される（Ｓ２）。
【００２２】
この判定は、例えば、情報配信を受ける移動機が減ったゾーンＣに残って同一番組チャネル（ＭＣ＃）の情報配信をうける移動機が所定台数以下（例えば、１台以下）であるか否かによってなされる。即ち、１つの番組チャネル（ＭＣ＃）の情報をある無線チャネルを使用して受信する移動機の台数が少ない場合には、その無線チャネルが有効に使用されていないとして、その無線チャネルを使用する移動機の収容ゾーンを切替る必要があると判定される。
【００２３】
この例の場合、上記ゾーンＣの移動機ＭＳ１が切断要求を送信することによって、ＭＣ登録テーブル（図４参照）のゾーンＣの項から移動機ＭＳ１のエントリが削除される結果、当該ゾーンＣの項には移動機ＭＳ２のみが残る。交換機１００は、このＭＣ登録テーブルの内容に基づいて、ゾーンＣにおける情報配信を受ける移動機の収容状態を変更すべきであると判定する。即ち、ゾーンＣに残ったチャネル１（ＭＣ＃）の番組を無線チャネルＣＨ１で受信する移動機ＭＳ２を他のゾーンに収容替えすべきであると判定される（Ｓ２でＹＥＳ）。
【００２４】
このように、ゾーンＣにおける情報配信を受ける移動機の収容状態を変更すべきであると判定されると、更に、移動機登録テーブル（図３参照）及びＭＣ登録テーブル（図４参照）の内容を参照して、そのゾーンＣにてチャネル１（ＭＣ１）の番組を無線チャネルＣＨ１にて受信している移動機ＭＳ２を他のゾーンに収容替えできるか否かが判定される（Ｓ３）。この場合、移動機ＭＳ２はゾーンＡが代替収容ゾーンとして定められており、また、そのゾーンＡでは移動機ＭＳ２が今まで受信していたチャネル１（ＭＣ１）の番組の配信が無線チャネルＣＨ３を用いて行われているので、移動機ＭＳ２の収容ゾーンをゾーンＣからゾーンＡに変更することができると判定される。
【００２５】
また、ゾーンＡにおいてチャネル１（ＭＣ１）の番組配信は、無線チャネルＣＨ３を用いて３台の移動機ＭＳ３、ＭＳ４及びＭＳ５に対して行われており、ゾーンＣにおいてチャネル１（ＭＣ１）の番組配信は、無線チャネルＣＨ１を用いて単一の移動機ＭＳ２に対して行われている。このことは、チャンネル１（ＭＣ１）の番組配信のために、ゾーンＡの方がゾーンＣより無線チャネルを有効に利用している状態となっていることを表す。従って、チャネル１（ＭＣ１）の番組配信を受ける移動機ＭＳ２をゾーンＣからゾーンＡに収容替えすることにより、更に、無線チャネルの有効利用が図られる。
【００２６】
上記のようにして移動機２をゾーンＣからゾーンＡに収容替えできると判定されると（Ｓ３においてＹＥＳ）、ＭＣ登録テーブルが図７に示すように、ゾーンＣの項から移動機ＭＳ２のエントリが削除されると共に、ゾーンＡの項に移動機ＭＳ２のエントリが追加される（Ｓ４）。そして、交換機１００は、図５に示すように、ゾーンＡの基地局ＢＳ−Ａを介して移動機ＭＳ２に対して無線チャネルＣＨ３への切替要求を送信する。そして、ゾーンＡの基地局ＢＳ−Ａからの無線チャネルＣＨ３への切替要求を受信した移動機２は、その切替応答を基地局ＢＳ−Ａに返送し、更に、その切替応答が基地局ＢＳ−Ａから交換機１００に転送される。その後、交換機１００は、ゾーンＣの基地局ＢＳ−Ｃに対して無線チャネルＣＨ１の解放を指示し、その指示に従って、基地局ＢＳ−Ｃは、無線チャネルＣＨ１を解放する（Ｓ４）。
【００２７】
その結果、図９に示すように、ゾーンＣでは、チャネル１（ＭＣ１）の番組配信が行われなくなる一方、ゾーンＡでは、チャネル１（ＭＣ１）の番組配信が無線チャネルＣＨ３を用いて４台の移動機ＭＳ２、ＭＳ３、ＭＳ４及びＭＳ５に対して行われる。このように移動機ＭＳ２の収容ゾーンの変更が行われることにより、ゾーンＣの無線チャネルＣＨ１が他の番組のために利用できる状態になると共に、ゾーンＡにおいては無線チャネルＣＨ３がより多くの移動機に対する情報配信のために利用されることとなる。
【００２８】
なお、上記のようにして移動機ＭＳ２のゾーンＣからゾーンＡへの収容替えがなされた後に、移動機管理テーブルは、図８に示すように、移動機２の収容ゾーンがゾーンＡに変更されると共に、その代替ゾーンがゾーンＣに変更される。
また、なお、図６に示す手順に従って処理を実行する交換機１００は、あるゾーンにおいて情報配信を受ける移動機の収容状態を変更すべきであると判定しても（Ｓ２においてＹＥＳ）、そのゾーンに収容される移動機を他のゾーンに収容替えできないと判定された場合には（Ｓ３においてＮＯ）、移動機の収容ゾーンの切り替えを行うことなく、各ゾーンにおいて各移動機に対してなされる情報配信の状態を維持する。
【００２９】
次に、図１に示すような移動通信システムにおいて、各ゾーンＡ、Ｂ及びＣにおいて配信される番組とその番組の配信を受ける移動機が、例えば、図１０に示すような状態となる場合の例について説明する。
図１０において、ゾーンＡでは、チャネル１（ＭＣ１）の番組（情報）が無線チャネルＣＨ３にて配信され（１Ａ３）、チャネル２（ＭＣ２）の番組が無線チャネルＭＣ４を用いて配信されている（２Ａ４）。そして、移動機ＭＳ２が無線チャネルＣＨ３にて配信されるチャネル１（  ＭＣ１）  の番組を受信し、移動機ＭＳ３及びＭＳ４が無線チャネルＣＨ４を用いてチャネル２（ＭＣ２）の番組を受信している。
【００３０】
ゾーンＢでは、チャネル３（ＭＣ３）の番組が無線チャネルＣＨ５を用いて配信されている（３Ｂ５）。また、ゾーンＣでは、チャネル４（ＭＣ４）の番組が無線チャネルＣＨ２を用いて配信され、移動機ＭＳ１がその番組（ＭＣ４）を受信している。
上記のような各ゾーンにおいて情報配信に使用される無線チャネルとその配信を受ける移動機との関係が図４に示す例と同様にＭＣ登録テーブルに記述され（図示略）、また、各移動機の収容ゾーン及び代替ゾーンが図３に示す例と同様に移動機管理テーブルに記述されている（図示略）。
【００３１】
このような状態において、ゾーンＣにおいて移動機ＭＳ５から新たにチャネル１の番組の配信要求がなされた場合を例に、その動作を図１１に示すシーケンス図及び図１２に示すフローチャートに基づいて説明する。
図１１において、前述したように、交換機１００からの指令に基づいて基地局ＢＳ−Ｃ（ゾーンＣ）から無線チャネルＣＨ２を用いて移動機ＭＳ１にチャネル４（ＭＣ４）の番組が配信されている。また、交換機１００からの指令に基づいて基地局ＢＳ−Ａ（ゾーンＡ）から無線チャネルＣＨ３を用いて移動機ＭＳ２にチャネル１（ＭＣ１）の番組が配信されると共に、無線チャネルＣＨ４を用いて移動機ＭＳ３及びＭＳ４にチャネル２（ＭＣ２）の番組が配信されている。
【００３２】
この状態で、ゾーンＣにおいて移動機ＭＳ５からチャネル１（ＭＣ１）の番組の配信要求がなされると、その配信要求が基地局ＢＳ−Ｃから交換機１００に転送される。この移動機ＭＳ５からのチャネル１（ＭＣ１）の番組の配信要求を受信した交換機１００は、図１２に示す手順に従って処理を実行する。
移動機ＭＳ５からの情報配信要求に係る新規呼の接続可能なゾーンが移動機管理テーブルを参照して検索される（Ｓ１１）。この場合、移動機ＭＳ５は、ゾーンＣでのみ呼の接続が可能となるので、更に、ＭＣ登録テーブルを参照してゾーンＣにおいて要求に係るチャネル１（ＭＣ１）の番組が既に配信されているか否かが判定される（Ｓ１２）。図１０に示すように、ゾーンＣでは、チャネル１（ＭＣ１）の番組の配信はなされていないので（Ｓ１２においてＮＯ）、ゾーンＣにおいてチャネル１（ＭＣ１）の番組を配信すべき無線チャネルとして無線チャネルＣＨ１が新たに割付けられる（Ｓ１３）。そして、交換機１００からゾーンＣの基地局ＢＳ−Ｃに無線チャネルＣＨ１にてチャネル１（ＭＣ１）の番組を配信する旨の指令がなされる。
【００３３】
すると、基地局ＢＳ−Ｃからチャネル１（ＭＣ１）の番組の配信要求を行った移動機ＭＳ５に対して、番組配信で用いられる無線チャネルＣＨ１が通知される。そして、チャネル１（ＭＣ１）の番組に対するＭＣ登録テーブルのゾーンＣの項に使用無線チャネルＣＨ１と移動機ＭＳ５のエントリが登録される。この状態で、ゾーンＣの基地局ＢＳ−Ｃから無線チャネルＣＨ１を使用してチャネル１（ＭＣ１）の番組が移動機ＭＳ５に配信される。
【００３４】
次いで、上記のようにして、ゾーンＣにおいて情報配信を受ける移動機の収容状態が変化（情報配信を受ける移動機が増加）すると、交換機１００は、当該ゾーンＣに隣接するゾーンＡまたはＢにおける情報配信を受ける移動機の収容状態を変更すべきか否かを判定する（Ｓ１５）。この判定は、例えば、ゾーンＣにて増加した情報配信を受ける移動機が新たな無線チャネルを使用するか否かによってなされる。新たな無線チャネルを用いて情報配信を受ける移動機が増えた場合、その新たな無線チャネルを有効に利用するために、ゾーンＣに隣接するゾーンの移動機をゾーンＣに収容替えしてその新たな無線チャネルにて情報配信を継続させることが好ましい。
【００３５】
この場合、移動機ＭＳ５に情報配信を行うために新たな無線チャネルＣＨ１を使用することとなるので、隣接するゾーンＡまたはＢに収容される移動機をゾーンＣに収容替えすべきであると判定される（Ｓ１５においてＹＥＳ）。このように、ゾーンＡまたはＢに収容される移動機をゾーンＣに収容替えすべきであると判定されると、更に、移動機管理テーブル及びＭＣ登録テーブルを参照して、ゾーンＡまたはゾーンＢに収容される移動機をゾーンＣに収容替えすることができるか否かが判定される（Ｓ１６）。
【００３６】
この場合、ゾーンＡに収容された移動機ＭＳ２に対して代替収容ゾーンとしてゾーンＣが登録されると共に、移動機５と同様にチャネル１（ＭＣ）の番組の配信を受けているので、移動機ＭＳ２の収容ゾーンをゾーンＡからゾーンＣに変更することが可能であると判定される。このように移動機ＭＳ２のゾーンＣへの収容替えが可能であると判定されると（Ｓ１６においてＹＥＳ）、ＭＣ登録テーブルのゾーンＡの項から移動機ＭＳ２のエントリが削除されると共に、ゾーンＣの項に移動機ＭＳ２のエントリが追加される（Ｓ１７）。そして、交換機１００は、図１１に示すように、ゾーンＣの基地局ＢＳ−Ｃを介して移動機ＭＳ２に対して無線チャネルＣＨ１への切替要求を送信する。そして、ゾーンＣの基地局ＢＳ−Ｃからの無線チャネルＣＨ１への切替要求を受信した移動機ＭＳ２は、その切替応答信号を基地局ＢＳ−Ｃに返送し、更に、その切替応答信号が基地局ＢＳ−Ｃから交換機１００に転送される。
【００３７】
その後、交換機１００は、ゾーンＡの基地局ＢＳ−Ａに対して無線チャネルＣＨ３の解放を指示し、その指示に従って、基地局ＢＳ−Ａは、無線チャネルＣＨ３を解放する。
その結果、図１３に示すように、ゾーンＡでは、チャネル１（ＭＣ１）の番組配信が行われなくなる一方、ゾーンＣでは、チャネル１（ＭＣ１）の番組配信が無線チャネルＣＨ１を用いて２台の移動機ＭＳ２及びＭＳ５に対して行われる。このように移動機ＭＳ２の収容ゾーンの変更が行われることにより、ゾーンＡの無線チャネルＣＨ３が他の番組のために利用できる状態になると共に、ゾーンＣにおいては無線チャネルＣＨ１がより多くの移動機に対する情報配信のために利用されることとなる。
【００３８】
上記のようにあるゾーンにおいて番組の配信要求が移動機からなされた際に、その要求に係る番組の配信がその移動機の収容されるべきゾーンにおいて既になされている場合（Ｓ１２においてＹＥＳ）、その情報配信の要求を行った移動機に対して当該ゾーンで既にその情報配信に使用されている無線チャネルＣＨ＃が通知される。そして、ＭＣ登録テーブルの当該ゾーンの使用無線チャネルに対応したその移動機ＭＳ＃が登録される（Ｓ１４）。
【００３９】
この場合、当該ゾーンにおいて情報配信を受ける移動機の収容状態が変化（収容される移動機が増加）しても、新たな情報配信の要求を行った移動機に対して新たな無線チャネルの割付けを行わなくてよい。従って、当該ゾーンに隣接するゾーンの移動機を当該ゾーンに収容替えする必要はないと判定される（Ｓ１５においてＮＯ）。その結果、移動機の収容ゾーンが変更されることはない。
【００４０】
なお、上述した各例においては、各移動機の収容可能なゾーンは、所定のタイミングにて各移動機が行う各基地局からの下り信号の受信レベルの測定結果に基づいて作成される移動機管理テーブル（図３参照）を用いて管理される。しかし、このような管理を行わず、移動機の収容ゾーンを変更する必要があると判定された都度、そのような測定を行って、各移動機の収容可能なゾーンを確認することもできる。
【００４１】
【発明の効果】
以上、説明してきたように、請求項１乃至３記載の本願発明によれば、いずれかのゾーンにおいて情報配信を受ける移動機の収容状態が変化したときに、当該ゾーンまたはそれに隣接するゾーンにおける情報配信を受ける移動機の収容状態を変更すべきであると判定され、また、その移動機の収容状態を変更すべきと判定されたゾーンに収容される移動機を他のゾーンに収容替えできると判定されたときに、当該他のゾーンに収容替えできると判定された移動機に対して変更後のゾーンの基地局から情報配信が行われるように無線チャネルが切替られるようになる。従って、各移動機が同じ情報の配信を受けるために選択され得るゾーン及び無線チャネルが増えるため、各ゾーンにおいて移動機に対する情報配信サービスのために用いられる無線チャネルを有効に利用できるようになる。
【図面の簡単な説明】
【図１】移動通信システムの基本的な構成を示すブロック図である。
【図２】各ゾーンに収容される移動機と無線チャネル及び番組チャネルの関係の一例を示す図である。
【図３】図２に示す状態での移動機管理テーブルの一例を示す図である。
【図４】図２に示す状態でのＭＣ登録テーブルの一例を示す図である。
【図５】移動機の収容ゾーン切替の手順を示すシーケンス図である。
【図６】既存呼が消滅する場合の交換機での処理の手順を示すフローチャートである。
【図７】移動機の収容ゾーン切替えがなされた後におけるＭＣ登録テーブルの一例を示す図である。
【図８】移動機の収容ゾーン切替えがなされた後における移動機管理テーブルの一例を示す図である。
【図９】移動機の収容ゾーン切替えがなされた後における各ゾーンに収容される移動機と無線チャネル及び番組チャネルの関係の一例を示す図である。
【図１０】各ゾーンに収容される移動機と無線チャネル及び番組チャネルの関係の他の一例を示す図である。
【図１１】新規呼の要求があった場合における移動機の収容ゾーン切替えの手順を示すシーケンス図である。
【図１２】新規呼の要求があった場合における交換機での処理の手順を示すフローチャートである。
【図１３】移動機の収容ゾーン切替えがなされた後における各ゾーンに収容される移動機と無線チャネル及び番組チャネルの関係の他の一例を示す図である。
【図１】
0003618065.tif 000002
【図２】
0003618065.tif 000003
【図３】
0003618065.tif 000004
【図４】
0003618065.tif 000005
【図５】
0003618065.tif 000006
【図６】
0003618065.tif 000007
【図７】
0003618065.tif 000008
【図８】
0003618065.tif 000009
【図９】
0003618065.tif 000010
【図１０】
0003618065.tif 000011
【図１１】
0003618065.tif 000012
【図１２】
0003618065.tif 000013
【図１３】
0003618065.tif 000014